(57)【要約】【課題】回路を低消費電流化しつつ、電流源であるＭＯＳトランジスタ回路からミラー電流が供給される負荷回路の起動を高速化することが可能なスタートアップ回路を提供する。【解決手段】スタートアップ回路１００は、第１の電位である電源電位に接続され基準電流を供給する基準電流源１と、この基準電流源１と第２の電位であるグランド電位との間に接続され、基準電流を制御するためのスイッチ回路２と、このスイッチ回路２とグランド電位との間に接続されるとともに、負荷回路３のＭＯＳトランジスタ回路４とカレントミラー構成となる第１のｎ型ＭＯＳトランジスタ５と、基準電流源１とグランド電位との間で、スイッチ回路２および第１のｎ型ＭＯＳトランジスタ５に並列に接続された容量６とを備える。【選択図】図１
2007142698.tif 000002
【特許請求の範囲】
【請求項１】
負荷回路の電流源であるＭＯＳトランジスタ回路にミラー電流を流すためのスタートアップ回路であって、
第１の電位に接続され、基準電流を供給する基準電流源と、
前記第１の電位とは電位の異なる第２の電位と前記基準電流源との間に接続され、前記基準電流を制御するためのスイッチ回路と、
ドレインが前記スイッチ回路側に接続され、ソースが前記第２の電位側に接続され、ゲートが前記スイッチ回路側に接続されて前記スイッチ回路と前記第２の電位との間に接続されるとともに、前記ゲートの電位が入力される前記ＭＯＳトランジスタ回路とカレントミラー構成となる第１の第１導電型ＭＯＳトランジスタと、
前記基準電流源と前記第２の電位との間で、直列に接続された前記スイッチ回路および前記第１の第１導電型ＭＯＳトランジスタに並列に接続された容量と、
を備えることを特徴とするスタートアップ回路。
【請求項２】
ドレインが前記第１の第１導電型ＭＯＳトランジスタのソースに接続され、ソースが前記第２の電位に接続され、ゲートが前記第１の第１導電型ＭＯＳトランジスタのゲートに接続されて、前記スイッチ回路と前記第２の電位との間で前記第１の第１導電型ＭＯＳトランジスタとカスコード接続された第２の第１導電型ＭＯＳトランジスタを、さらに備え、
前記第１および第２の第１導電型ＭＯＳトランジスタと前記負荷回路の電流源である前記ＭＯＳトランジスタ回路とがカレントミラー構成となることを特徴とする請求項１に記載のスタートアップ回路。
【請求項３】
ドレインが前記スイッチ回路および前記第１の第１導電型ＭＯＳトランジスタのゲートに接続され、ソースが前記第１の第１導電型ＭＯＳトランジスタのドレインに接続されて、前記スイッチ回路と前記第２の電位との間で前記第１の第１導電型ＭＯＳトランジスタとカスコード接続されるとともに、ゲートに飽和領域で動作する電圧が印加される第２の第１導電型ＭＯＳトランジスタを、さらに備え、
前記第１および第２の第１導電型ＭＯＳトランジスタと前記負荷回路の電流源である前記ＭＯＳトランジスタ回路とがカレントミラー構成となることを特徴とする請求項１に記載のスタートアップ回路。
【請求項４】
ドレインが前記第１の第１導電型ＭＯＳトランジスタのソースに接続され、ソースが前記第２の電位に接続され、ゲートが前記第１の第１導電型ＭＯＳトランジスタのソースに接続されて、前記スイッチ回路と前記第２の電位との間で前記第１の第１導電型ＭＯＳトランジスタとカスコード接続された第２の第１導電型ＭＯＳトランジスタを、さらに備え、
前記第１および第２の第１導電型ＭＯＳトランジスタと前記負荷回路の電流源である前記ＭＯＳトランジスタ回路とがカレントミラー構成となることを特徴とする請求項１に記載のスタートアップ回路。
【請求項５】
前記基準電流源は、ソースが前記第１の電位に接続され、ドレインが前記スイッチ回路に接続され、ゲートに飽和領域で動作する電圧が印加される、第１導電型とは逆の第２導電型ＭＯＳトランジスタであることを特徴とする請求項１ないし４の何れかに記載のスタートアップ回路。
【発明の詳細な説明】
【技術分野】
【０００１】
本発明は、基準電流を用いて負荷回路を起動するスタートアップ回路に関するものである。
【背景技術】
【０００２】
従来、基準電流発生回路から発生されるスタートアップ回路の基準電流は、例えば、オペアンプ回路等の負荷回路にミラー電流を流すのに用いられている。
【０００３】
この従来のスタートアップ回路には、電源電位に接続された基準電流源と、ドレインが基準電流源に接続され、ソースがグランド電位に接続され、ゲートがドレインに接続されてダイオード接続されるとともに、負荷回路の電流源であるＭＯＳトランジスタ回路とカレントミラー構成となるＭＯＳトランジスタとを有するものがある。
【０００４】
このスタートアップ回路は、基準電流源からＭＯＳトランジスタに基準電流を供給することにより、負荷回路の電流源であるＭＯＳトランジスタ回路にミラー電流を流させて負荷回路に電流を供給する。
【０００５】
上記スタートアップ回路が例えば携帯機器製品等に用いられる場合、低消費電流を実現するためには基準電流をできる限り小さくする必要がある。このように基準電流を小さくすると、基準電流源の起動時に接続先の負荷回路のＭＯＳトランジスタ回路の動作点を必要な電位に上げるまで時間がかかる。すなわち、負荷回路の起動の高速化ができないという問題が生じ得る。
【０００６】
ここで、回路の高速化を目的として、ゲートとドレインが短絡され、ソースが電源端子接続されたＭＯＳトランジスタと、このＭＯＳトランジスタのゲート・ドレインとグランド端子との間に接続されたコンデンサとを有する回路（基準電圧発生回路）がある（例えば、特許文献１参照。）。
【０００７】
この基準電圧発生回路は、電源投入時のコンデンサの容量結合効果により、ゲート・ドレインの電位の電源電位またはグランド電位への引き上げを高速化する。
【０００８】
しかし、上記従来技術においては、カレントミラーを用いて負荷回路に電流を供給するものではなく、単純に既述のスタートアップ回路に適用することができない。
【特許文献１】特開２００２−２３８７３２号公報
【発明の開示】
【発明が解決しようとする課題】
【０００９】
本発明は、回路を低消費電流化しつつ、電流源であるＭＯＳトランジスタ回路からミラー電流が供給される負荷回路の起動を高速化することが可能なスタートアップ回路を提供することを目的とする。
【課題を解決するための手段】
【００１０】
本発明の一態様に係る実施例に従ったスタートアップ回路は、
負荷回路の電流源であるＭＯＳトランジスタ回路にミラー電流を流すためのスタートアップ回路であって、
第１の電位に接続され、基準電流を供給する基準電流源と、
前記第１の電位とは電位の異なる第２の電位と前記基準電流源との間に接続され、前記基準電流を制御するためのスイッチ回路と、
ドレインが前記スイッチ回路側に接続され、ソースが前記第２の電位側に接続され、ゲートが前記スイッチ回路側に接続されて前記スイッチ回路と前記第２の電位との間に接続されるとともに、前記ゲートの電位が入力される前記ＭＯＳトランジスタ回路とカレントミラー構成となる第１の第１導電型ＭＯＳトランジスタと、
前記基準電流源と前記第２の電位との間で、直列に接続された前記スイッチ回路および前記第１の第１導電型ＭＯＳトランジスタに並列に接続された容量と、
を備えることを特徴とする。
【発明の効果】
【００１１】
本発明のスタートアップ回路によれば、回路を低消費電流化しつつ、電流源であるＭＯＳトランジスタ回路からミラー電流が供給される負荷回路の起動を高速化することができる。
【発明を実施するための最良の形態】
【００１２】
本発明に係る実施形態のスタートアップ回路は、負荷回路の電流源であるＭＯＳトランジスタ回路にミラー電流を流して該負荷回路を起動させるためのものである。
【００１３】
以下、本発明に係る各実施例について図面に基づいて説明する。
【実施例１】
【００１４】
図１は、本発明の一態様である実施例１に係るスタートアップ回路の構成を含むシステムを示す図である。なお、ここでは、第１の電位を電源電位、この第１の電位とは電位の異なる第２の電位をグランド電位とし、第１導電型をｎ型、第１導電型とは逆の第２導電型をｐ型として説明する。
【００１５】
図１に示すように、スタートアップ回路１００は、第１の電位である電源電位に接続され基準電流を供給する基準電流源１と、この基準電流源１と第２の電位であるグランド電位との間に接続され、基準電流を制御するためのスイッチ回路２と、このスイッチ回路２とグランド電位との間に接続されるとともに、負荷回路３のＭＯＳトランジスタ回路４とカレントミラー構成となる第１のｎ型ＭＯＳトランジスタ５と、基準電流源１とグランド電位との間で、直列に接続されたスイッチ回路２および第１のｎ型ＭＯＳトランジスタ５に並列に接続された容量６とを備える。
【００１６】
基準電流源１は、ここでは、ソースが電源電位に接続され、ドレインがスイッチ回路２に接続されたｐ型ＭＯＳトランジスタで構成されている。このｐ型ＭＯＳトランジスタのゲートに飽和領域で動作する電圧が基準電流発生回路７から印加されることにより、基準電流が基準電流源１であるｐ型ＭＯＳトランジスタから出力される。
【００１７】
ここで、図２に基準電流発生回路７の一例を示す。図２に示すように、基準電流発生回路７は、電源電位とグランド電位との間に直列に接続されたｐ型ＭＯＳトランジスタ８および抵抗９と、基準電圧Ｖｒｅｆと抵抗９の電位とを比較し、信号をｐ型ＭＯＳトランジスタのゲートに出力するオペアンプ１０とを有する。
【００１８】
オペアンプ１０の出力は、抵抗９に流れる電流ＩがＩ＝基準電圧Ｖｒｅｆ/抵抗値Ｒの関係になるように制御される。このオペアンプ１０の出力は、基準電流源１であるｐ型ＭＯＳトランジスタが飽和領域で動作する電圧として、このｐ型ＭＯＳトランジスタのゲートにも出力される。
【００１９】
スイッチ回路２は、例えば、トランジスタ等の素子により構成され、このスイッチ回路がオン/オフすることにより、第１のｎ型ＭＯＳトランジスタ５に供給される基準電流を制御することができる。
【００２０】
負荷回路３は、例えば、オペアンプ回路等の集積回路であり、ＭＯＳトランジスタ回路４からミラー電流を供給されて起動する。
【００２１】
ＭＯＳトランジスタ回路４は、ここでは、第１のｎ型ＭＯＳトランジスタ５とカレントミラーになるように、そのゲートがこの第１のｎ型ＭＯＳトランジスタ５のゲートと接続されてこのゲートの電位が入力され、ドレインが負荷回路３に接続され、ソースがグランド電位に接続されたｎ型ＭＯＳトランジスタで構成されている。
【００２２】
第１のｎ型ＭＯＳトランジスタ５は、ドレインがスイッチ回路２側に接続され、ソースがグランド電位側に接続され、ゲートがスイッチ回路２側に接続されて、ダイオード接続されている。
【００２３】
容量６は、所望の電荷量を充電できればよいが、例えば、製造プロセスの工程数を削減するために、ＭＯＳトランジスタにより構成してもよい。
【００２４】
ここで、以上のような構成を有するスタートアップ回路１００の動作について説明する。
【００２５】
先ず、スイッチ回路２がオフされた定常状態では、基準電流源１から基準電流が流れない。このため、基準電流源１とスイッチ回路２の接続点の電位は、電源電圧ＶＤＤレベルとなる。この時、容量６には電荷量Ｑ＝ＣＶの電荷が充電される。ここで、Cは容量６のキャパシタンス、Ｖは電源電圧ＶＤＤである。
【００２６】
次に、スイッチ回路２がオン状態になった後、スイッチ回路２を介してダイオード接続された第１のｎ型ＭＯＳトランジスタ５に、基準電流源１の基準電流と容量６に充電されていた電荷が流れ込むこととなる。
【００２７】
この容量６の放電効果を利用することで、負荷回路３の電流源であるＭＯＳトランジスタ回路４のカレントミラー元となる第１のｎ型ＭＯＳトランジスタ５に基準電流より大きな電流を流すことができる。これにより、ＭＯＳトランジスタ回路４の動作点を早く必要な電位まで上げることができるので、負荷回路３の起動を高速化することができる。
【００２８】
このように、スタートアップ回路１００は、スイッチ回路２をオフからオンに切り替えた瞬間、容量６に充電されていた電荷がダイオード接続された第１のｎ型ＭＯＳトランジスタ５に放電し、基準電流よりも多くの電流を供給することができ、立ち上げ対象となる負荷回路３のＭＯＳトランジスタ回路４の動作点を早く必要な電位まで上げることができる。このスタートアップ回路１００を用いることで、消費電流を抑えつつ（基準電流の電流量を抑えつつ）、負荷回路の起動の高速化を図ることができる。
【００２９】
以上のように、本実施例に係るスタートアップ回路によれば、基準電流を少なくしても負荷回路の電流源であるＭＯＳトランジスタ回路の動作点を早く必要な電位まで上げることができるので、回路を低消費電流化しつつ、該ＭＯＳトランジスタ回路からミラー電流が供給される負荷回路の起動の高速化を図ることができる。
【実施例２】
【００３０】
実施例１では、第１の電位を電源電位、第２の電位をグランド電位とし、第１導電型をｎ型、第２導電型をｐ型とする構成について述べたが、該構成は、導電型、電位の極性を反転させても同様の作用効果を奏することができる。本実施例では、この極性を反転させた構成について述べる。
【００３１】
図３は、本発明の一態様である実施例２に係るスタートアップ回路２００の構成を含むシステムを示す図である。なお、ここでは、第１の電位をグランド電位、第２の電位を電源電位とし、第１導電型をｐ型、第２導電型をｎ型として説明する。
【００３２】
図３に示すように、スタートアップ回路２００は、第１の電位であるグランド電位に接続され基準電流を供給する基準電流源２１と、この基準電流源２１と第２の電位である電源電位との間に接続され、基準電流を制御するためのスイッチ回路２２と、このスイッチ回路２２と電源電位との間に接続されるとともに、負荷回路２３のＭＯＳトランジスタ回路２４とカレントミラー構成となる第１のｐ型ＭＯＳトランジスタ２５と、基準電流源２１と電源電位との間で、スイッチ回路２２および第１のｐ型ＭＯＳトランジスタ２５に並列に接続された容量２６とを備えている。
【００３３】
基準電流源２１は、ここでは、ソースが電源電位に接続され、ドレインがスイッチ回路２２に接続されたｎ型ＭＯＳトランジスタで構成されている。このｎ型ＭＯＳトランジスタのゲートに飽和領域で動作する電圧が基準電流発生回路２７から印加されることにより、基準電流が基準電流源２１であるｎ型ＭＯＳトランジスタから出力される。
【００３４】
ここで、以上のような構成を有するスタートアップ回路２００の動作は、極性を反転させた以外は実施例１と同様に実施される。すなわち、スタートアップ回路２００は、スイッチ回路２２をオフからオンに切り替えた瞬間、容量２６に充電されていた電荷がダイオード接続された第１のｐ型ＭＯＳトランジスタ２５に放電し、基準電流よりも多くの電流を供給することができ、立ち上げ対象となる負荷回路２３のＭＯＳトランジスタ回路２４の動作点を早く必要な電位まで上げることができる。このスタートアップ回路２００を用いることで、消費電流を抑えつつ（基準電流の電流量を抑えつつ）、負荷回路の起動の高速化を図ることができる。
【００３５】
以上のように、本実施例に係るスタートアップ回路によれば、実施例１と同様に、基準電流を少なくしても負荷回路の電流源であるＭＯＳトランジスタ回路の動作点を早く必要な電位まで上げることができるので、回路を低消費電流化しつつ、該ＭＯＳトランジスタ回路からミラー電流が供給される負荷回路の起動の高速化を図ることができる。
【実施例３】
【００３６】
実施例１、２では、例えば、ミラー回路の入力側を構成するダイオード接続されたＭＯＳトランジスタが１つ接続された構成について述べたが、本実施例においては、このＭＯＳトランジスタがカスコード接続された構成について述べる。
【００３７】
図４は、本発明の一態様である実施例３に係るスタートアップ回路３００の構成を含むシステムを示す図である。なお、実施例１と同様の符号を付された構成は、実施例１と同様の構成である。ここでは、第１の電位を電源電位、第２の電位をグランド電位とし、第１導電型をｎ型、第２導電型をｐ型として説明する。
【００３８】
図４に示すように、スタートアップ回路３００は、ドレインが第１のｎ型ＭＯＳトランジスタ５のソースに接続され、ソースがグランド電位に接続され、ゲートが第１のｎ型ＭＯＳトランジスタ５のゲートに接続されて、スイッチ回路２とグランド電位との間で第１のｎ型ＭＯＳトランジスタ５とカスコード接続された第２のｎ型ＭＯＳトランジスタ３５を、さらに備える。
【００３９】
そして、第１および第２の第１導電型ＭＯＳトランジスタ５、３５と負荷回路３の電流源であるＭＯＳトランジスタ回路３４とがカレントミラー構成となっている。
【００４０】
ここで、第１のｎ型ＭＯＳトランジスタ５と第２のｎ型ＭＯＳトランジスタ３５とがカスコード接続されていることにより出力抵抗が大きくなり、負荷回路３の電流源であるＭＯＳトランジスタ回路３４へカレントミラーする際に電流誤差を少なくすることができる。
【００４１】
このＭＯＳトランジスタ回路３４は、ここでは、第１および第２のｎ型ＭＯＳトランジスタ５、３５とカレントミラー構成になるように、カスコード接続されたｎ型ＭＯＳトランジスタにより構成されている。すなわち、ＭＯＳトランジスタ回路３４は、そのゲートが第１のｎ型ＭＯＳトランジスタ５のゲートと接続され、ドレインが負荷回路３に接続されたｎ型ＭＯＳトランジスタ３４ａと、そのゲートが第２のｎ型ＭＯＳトランジスタ３５のゲートと接続され、ドレインがｎ型ＭＯＳトランジスタ３４ａのソースに接続され、ソースがグランド電位に接続されたｎ型ＭＯＳトランジスタ３４ｂとから構成されている。
【００４２】
ここで、以上のような構成を有するスタートアップ回路３００の動作は、実施例１と同様に実施される。すなわち、スタートアップ回路３００は、スイッチ回路２をオフからオンに切り替えた瞬間、容量６に充電されていた電荷がカスコード接続された第１、第２のｎ型ＭＯＳトランジスタ５、３５に放電し、基準電流よりも多くの電流を供給することができ、立ち上げ対象となる負荷回路３のＭＯＳトランジスタ回路３４の動作点を早く必要な電位まで上げることができる。このスタートアップ回路３００を用いることで、消費電流を抑えつつ（基準電流の電流量を抑えつつ）、負荷回路の起動の高速化を行うことができる。
【００４３】
以上のように、本実施例に係るスタートアップ回路によれば、基準電流を少なくしても負荷回路の電流源であるＭＯＳトランジスタ回路の動作点を早く必要な電位まで上げることができるので、回路を低消費電流化しつつ、該ＭＯＳトランジスタ回路からミラー電流が供給される負荷回路の起動の高速化を行うことができる。
【実施例４】
【００４４】
実施例３では、第１、第２の第１導電型ＭＯＳトランジスタをカスコード接続する構成について述べたが、本実施例においては、第１、第２の第１導電型ＭＯＳトランジスタをカスコード接続する他の構成について述べる。
【００４５】
図５は、本発明の一態様である実施例４に係るスタートアップ回路４００の構成を含むシステムを示す図である。なお、実施例１と同様の符号を付された構成は、実施例１と同様の構成である。
【００４６】
図５に示すように、スタートアップ回路４００は、ドレインがスイッチ回路２および第１のｎ型ＭＯＳトランジスタ５のゲートに接続され、ソースが第１のｎ型ＭＯＳトランジスタ５のドレインに接続されて、スイッチ回路２とグランド電位との間で第１のｎ型ＭＯＳトランジスタ５とカスコード接続されるとともに、ゲートに飽和領域で動作する電圧ＶＧが印加される第２のｎ型ＭＯＳトランジスタ４５を、さらに備える。
【００４７】
そして、第１および第２の第１導電型ＭＯＳトランジスタ５、４５と負荷回路３の電流源であるＭＯＳトランジスタ回路４４とがカレントミラー構成になっている。
【００４８】
ここで、第１のｎ型ＭＯＳトランジスタ５と第２のｎ型ＭＯＳトランジスタ４５とがカスコード接続されていることにより出力抵抗が大きくなり、負荷回路３の電流源であるＭＯＳトランジスタ回路４４へカレントミラーする際に電流誤差を少なくすることができる。
【００４９】
このＭＯＳトランジスタ回路４４は、ここでは、第１および第２のｎ型ＭＯＳトランジスタ５、４５とカレントミラー構成になるように、カスコード接続されたｎ型ＭＯＳトランジスタにより構成されている。すなわち、ＭＯＳトランジスタ回路４４は、そのゲートが第２のｎ型ＭＯＳトランジスタ４５のゲートと接続され、ドレインが負荷回路３に接続されたｎ型ＭＯＳトランジスタ４４ａと、そのゲートが第１のｎ型ＭＯＳトランジスタ５のゲートと接続され、ドレインがｎ型ＭＯＳトランジスタ４４ａのソースに接続され、ソースがグランド電位に接続されたｎ型ＭＯＳトランジスタ４４ｂとから構成されている。
【００５０】
ここで、以上のような構成を有するスタートアップ回路４００の動作は、実施例３と同様に実施される。すなわち、スタートアップ回路４００は、スイッチ回路２をオフからオンに切り替えた瞬間、容量６に充電されていた電荷がカスコード接続された第１、第２のｎ型ＭＯＳトランジスタ５、４５に放電し、基準電流よりも多くの電流を供給することができ、立ち上げ対象となる負荷回路３のＭＯＳトランジスタ回路４４の動作点を早く必要な電位まで上げることができる。このスタートアップ回路４００を用いることで、消費電流を抑えつつ（基準電流の電流量を抑えつつ）、負荷回路の起動の高速化を行うことができる。
【００５１】
以上のように、本実施例に係るスタートアップ回路によれば、基準電流を少なくしても負荷回路の電流源であるＭＯＳトランジスタ回路の動作点を早く必要な電位まで上げることができるので、回路を低消費電流化しつつ、該ＭＯＳトランジスタ回路からミラー電流が供給される負荷回路の起動の高速化を行うことができる。
【実施例５】
【００５２】
実施例３、４では、第１、第２の第１導電型ＭＯＳトランジスタをカスコード接続する構成の一例について述べたが、本実施例においては、第１、第２の第１導電型ＭＯＳトランジスタをカスコード接続するさらに他の構成について述べる。
【００５３】
図６は、本発明の一態様である実施例５に係るスタートアップ回路５００の構成を含むシステムを示す図である。なお、実施例１と同様の符号を付された構成は、実施例１と同様の構成である。
【００５４】
図６に示すように、スタートアップ回路５００は、ドレインが第１のｎ型ＭＯＳトランジスタ５のソースに接続され、ソースがグランド電位に接続され、ゲートが第１のｎ型ＭＯＳトランジスタ５のソースに接続されて、スイッチ回路２とグランド電位との間で第１のｎ型ＭＯＳトランジスタ５とカスコード接続された第２のｎ型ＭＯＳトランジスタ５５を、さらに備える。
【００５５】
そして、第１および第２の第１導電型ＭＯＳトランジスタ５、５５と負荷回路３の電流源であるＭＯＳトランジスタ回路５４とがカレントミラー構成となっている。
【００５６】
ここで、第１のｎ型ＭＯＳトランジスタ５と第２のｎ型ＭＯＳトランジスタ５５とがカスコード接続されていることにより出力抵抗が大きくなり、負荷回路３の電流源であるＭＯＳトランジスタ回路５４へカレントミラーする際に電流誤差を少なくすることができる。
【００５７】
このＭＯＳトランジスタ回路５４は、ここでは、第１および第２のｎ型ＭＯＳトランジスタ５、５５とカレントミラー構成になるように、カスコード接続されたｎ型ＭＯＳトランジスタにより構成されている。すなわち、ＭＯＳトランジスタ回路５４は、そのゲートが第１のｎ型ＭＯＳトランジスタ５のゲートと接続され、ドレインが負荷回路３に接続されたｎ型ＭＯＳトランジスタ５４ａと、そのゲートが第２のｎ型ＭＯＳトランジスタ５５のゲートと接続され、ドレインがｎ型ＭＯＳトランジスタ５４ａのソースに接続され、ソースがグランド電位に接続されたｎ型ＭＯＳトランジスタ５４ｂとから構成されている。
【００５８】
ここで、以上のような構成を有するスタートアップ回路５００の動作は、実施例３と同様に実施される。すなわち、スタートアップ回路５００は、スイッチ回路２をオフからオンに切り替えた瞬間、容量６に充電されていた電荷がカスコード接続された第１、第２のｎ型ＭＯＳトランジスタ５、５５に放電し、基準電流よりも多くの電流を供給することができ、立ち上げ対象となる負荷回路３のＭＯＳトランジスタ回路５４の動作点を早く必要な電位まで上げることができる。このスタートアップ回路５００を用いることで、消費電流を抑えつつ（基準電流の電流量を抑えつつ）、負荷回路の起動の高速化を行うことができる。
【００５９】
以上のように、本実施例に係るスタートアップ回路によれば、基準電流を少なくしても負荷回路の電流源であるＭＯＳトランジスタ回路の動作点を早く必要な電位まで上げることができるので、回路を低消費電流化しつつ、該ＭＯＳトランジスタ回路からミラー電流が供給される負荷回路の起動の高速化を行うことができる。
【００６０】
なお、以上、各実施例においては、負荷回路の電流源であるＭＯＳトランジスタ回路の一例について説明したが、このＭＯＳトランジスタ回路は、少なくとも、各第１、第２の第１導電型ＭＯＳトランジスタとカレントミラーとなるように構成されていれば、同様の作用・効果を奏することができる。
【００６１】
また、実施例３ないし５においては、１の電位を電源電位、第２の電位をグランド電位とし、第１導電型をｎ型、第２導電型をｐ型として説明したが、実施例２と同様に電位、極性を反転させても同様の作用・効果を奏することができる。
【図面の簡単な説明】
【００６２】
【図１】本発明の一態様である実施例１に係るスタートアップ回路の構成を含むシステムを示す図である。
【図２】図１の基準電流発生回路の一例を示す図である。
【図３】本発明の一態様である実施例２に係るスタートアップ回路の構成を含むシステムを示す図である。
【図４】本発明の一態様である実施例３に係るスタートアップ回路の構成を含むシステムを示す図である。
【図５】本発明の一態様である実施例４に係るスタートアップ回路の構成を含むシステムを示す図である。
【図６】本発明の一態様である実施例５に係るスタートアップ回路の構成を含むシステムを示す図である。
【符号の説明】
【００６３】
１  基準電流源
２  スイッチ回路
３  負荷回路
４  ＭＯＳトランジスタ回路
５  第１のｎ型ＭＯＳトランジスタ
６  容量
７  基準電流発生回路
８  ｐ型ＭＯＳトランジスタ
９  抵抗
１０  オペアンプ
２１  基準電流源
２２  スイッチ回路
２３  負荷回路
２４  ＭＯＳトランジスタ回路
２５  第１のｐ型ＭＯＳトランジスタ
２６  容量
２７  基準電流発生回路
３４  ＭＯＳトランジスタ回路
３４ａ、３４ｂ  ｎ型ＭＯＳトランジスタ
３５  第２のｎ型ＭＯＳトランジスタ
４４  ＭＯＳトランジスタ回路
４４ａ、４４ｂ  ｎ型ＭＯＳトランジスタ
４５  第２のｎ型ＭＯＳトランジスタ
５４  ＭＯＳトランジスタ回路
５４ａ、５４ｂ  ｎ型ＭＯＳトランジスタ
５５  第２のｎ型ＭＯＳトランジスタ
１００、２００、３００、４００、５００  スタートアップ回路
【図１】
2007142698.tif 000003
【図２】
2007142698.tif 000004
【図３】
2007142698.tif 000005
【図４】
2007142698.tif 000006
【図５】
2007142698.tif 000007
【図６】
2007142698.tif 000008